(57)【要約】【課題】屋内外や腐食環境下において使用されるボルト・ナットの腐食防止又は絶縁を、簡単な構成かつ簡単な作業によってすることができるボルトキャップを提供する。【解決手段】被締結物の締結に使用されるボルト・ナットに適用されるボルトキャップであって、頭部、本体部及びつばからなり、熱収縮性樹脂で形成され、頭部の頂部が閉鎖され、つば側が開口された構成とされており、当該ボルトキャップの本体部の内面の少なくとも一部及び被締結物と接するボルトキャップのつばの面の少なくとも一方に熱可塑性樹脂を塗布したことを特徴とする。【選択図】図１
2018123907.tif 000002
【特許請求の範囲】
【請求項１】
被締結物の締結に使用されるボルト・ナットを密閉するためのボルトキャップであって、頭部、本体部及びつばからなり、熱収縮性樹脂で形成され、前記頭部の頂部が閉鎖され、前記つば側が開口された構成とされており、前記ボルトキャップの前記本体部の内面の少なくとも一部及び被締結物と接するボルトキャップのつばの面の少なくとも一方に熱可塑性樹脂を塗布したことを特徴とするボルトキャップ。
【請求項２】
前記つばがせりだす構造であることを特徴とする、請求項１に記載のボルトキャップ。
【請求項３】
前記ボルトキャップが半透明であることを特徴とする、請求項１又は２に記載のボルトキャップ。
【発明の詳細な説明】
【技術分野】
【０００１】
本発明は、熱収縮性密閉型ボルトキャップに関し、ボルト・ナットの防食又は絶縁を必要とされるボルト、ナットに適用される、熱収縮性密閉型ボルトキャップに関する。
【背景技術】
【０００２】
屋内外若しくは腐食環境下（沿岸部、塩分及び水分の滞留がおこなわれる現場等）におけるボルトやナット及びボルトとナットの締付・係合部は、腐食しやすく、腐食によりその強度が劣化する。そのため、これらボルトやナットについては、様々な劣化防止（防錆）構造が提案され、採用されている。
【０００３】
このようなボルトやナットの劣化防止（防錆）構造のうち、ロックボルトの防錆を狙ったものとして、ボルトの頭部に防錆剤を塗布する方法、防錆剤を塗布した後熱収縮性のフィルムを被せて防錆剤層を保護して防錆効果を高める方法（特許文献１、２）などが提案されているが、いずれもナットの防錆及びボルト・ナット全体の防錆については考慮されていない。
【０００４】
また、可撓性物質でなるボルト・ナットカバーをカバー内面に形成されたねじ溝によりボルトに固定してカバーする構成（特許文献３）が提案されているが、本構成においても、カバーとワッシャ等との間の密封性が充分ではなく、ナット・ワッシャ間に水がしみ込んでしまい、錆びが発生してしまっていた。また、ねじで締め付けるタイプであるため、振動等でゆるみが発生し、密封性が不十分になってしまう恐れもあった。
【０００５】
更に、軟質塩ビ樹脂を用いたボルトキャップも提案されているが、現場でボルトキャップ内に樹脂を充填し、樹脂が硬化するまで保持して固定する必要があった。そのため、天井部における作業等、ボルトの位置によっては、作業者が手で連続的に保持することが難しかった。例えば、天井に固定されたボルト・ナットに脚立に登ってキャップをする作業を行う場合には、足元の不安定さと上向きの作業姿勢により、樹脂が硬化する間に亘ってキャップを保持することは、かなりの重労働であった。また、作業者が現場でボルトキャップ内に樹脂を充填して保持・固定しているため、樹脂充填量や抑えの力加減のバラつきにより、施工結果が均一でなく、接地面との間の密閉が完全にはできず、隙間から水が浸入して錆を発生する場合があった。
【０００６】
また、熱収縮樹脂を用いたキャップも存在しているが、いずれもハーネス先端の保護のためのものであり、ボルト・ナットの保護をするボルトキャップとして、熱収縮性樹脂を用いたものはこれまでになかった。
【先行技術文献】
【特許文献】
【０００７】
【特許文献１】特開２０１４−１５９６７８号公報
【特許文献２】特開２００７−２３９３００号公報
【特許文献３】実開平３−４３１１３号公報
【発明の概要】
【発明が解決しようとする課題】
【０００８】
本発明は、屋内外や腐食環境下において使用されるボルト・ナットの腐食防止又は絶縁を達成することを目的とし、簡単な構成かつ簡単な作業によって、ボルト・ナットの腐食防止又は絶縁をすることができるボルトキャップを提供することを目的とする。
【課題を解決するための手段】
【０００９】
本発明によるボルトキャップは、被締結物の締結に使用されるボルト・ナットに適用されるものであって、頭部、本体部及びつばからなり、熱収縮性樹脂で形成され、頭部の頂部が閉鎖され、つば側が開口された構成とされており、当該ボルトキャップの本体部の内面の少なくとも一部及び被締結物と接するボルトキャップのつばの面の少なくとも一方に熱可塑性樹脂を塗布したことを特徴とする。ボルトキャップ製造時に熱可塑性樹脂が予め塗布される事で密着性等の品質が均一化される。また、熱可塑性樹脂がボルトキャップの本体部の内面の少なくとも一部に塗布される場合には、ボルトキャップの頭部及び本体部の内面の全面に塗布されてもよい。これによれば、熱可塑性樹脂によるボルト・ナットとの接着部を常に最大にすることができる。
【００１０】
本発明のボルトキャップは、いずれの熱収縮性樹脂でも形成されることができるが、特にポリオレフィン樹脂が好ましい。
【００１１】
本発明のボルトキャップは、つばがせりだした形状であることが好ましい。
【００１２】
本発明のボルトキャップの熱収縮性樹脂は、半透明であることが好ましい。
【発明の効果】
【００１３】
本発明のボルトキャップは、熱収縮性樹脂で形成されているので、現場での加熱処理による熱収縮性樹脂の熱収縮によって、容易にボルトキャップの本体部をボルト・ナットに密着させることができる。そして、熱可塑性樹脂がボルトキャップの本体部の内面に塗布されている場合には、加熱処理により融けた熱可塑性樹脂がボルト・ナットとボルトキャップの本体部との間を接着する。この時、熱可塑性樹脂が被締結物と接するボルトキャップのつばの面に塗布されていなくても、つばの面が被締結物に密接した状態でボルト・ナットとボルトキャップの本体部との間が熱可塑性樹脂によって接着されることで、被締結物とボルトキャップのつばの面の間を密封することができる。これにより、ボルト・ナットの防食及び絶縁をすることができる。
また、熱可塑性樹脂が被締結物と接するボルトキャップのつばの面に塗布されている場合には、加熱処理により融けた熱可塑性樹脂が被締結物とボルトキャップのつばの面の間を密封することで、ボルト・ナットの防食及び絶縁をすることができる。この時、熱可塑性樹脂がボルトキャップの本体部の内面に塗布されていなくても、ボルトキャップの少なくとも本体部は熱収縮によってボルト・ナットに密着するため、ボルトキャップがゆるみ難くなることでボルトキャップの密封性の保持に寄与する。
そのため、本発明のボルトキャップによれば、ボルト・ナットを確実に密封することで、ボルト・ナットの防食及び絶縁をすることができる。
【００１４】
また、ボルトキャップに塗布した熱可塑性樹脂の効果により、１分程度の短時間、ボルトキャップを保持して加熱処理するだけで、ボルトキャップをボルト・ナット及び／又は被締結物に接着して固定することができる。そのため、現場での作業効率が改善する。
【００１５】
また、ボルトキャップを半透明とすることで、施工後にボルトキャップ内部の腐食状況を確認することができ、腐食状況を確認するためにボルトキャップを破壊する必要がなくなる。
【図面の簡単な説明】
【００１６】
【図１】本発明の実施例の斜視図である。
【図２】図１の実施例の断面図である。
【図３】本発明のボルトキャップのボルト・ナットへの施工を説明する図である。
【発明を実施するための最良の形態】
【００１７】
本発明によるボルトキャップの実施例を、図面を参照しながら説明する。図１は本発明の実施例によるボルトキャップを示す斜視図、図２はその実施例の断面図、図３は実施例によるボルトキャップを被締結物に使用したボルト、ナットに施工する様子を示す図である。
【００１８】
図１、２において、ボルトキャップ１は、頭部２、本体部３、つば４、及び熱可塑性樹脂５からなる。ボルトキャップ１は、熱収縮性樹脂で形成され、頭部２、本体部３、つば４が段階的に半径を拡大されて一体的に形成された段付き円筒状に形成されている。また、頭部２の上面は塞がれており、つば４の下方は開口されて、ボルトキャップ１は、このつば４側からボルト６、ナット７（図３参照）に被せるようになっている。ボルトキャップ１の本体部３の内面の一部、並びにつば４の被締結物と接触する下面側には、熱可塑性樹脂５が予め塗布されている。熱可塑性樹脂５の塗布は、ボルトキャップ１の本体部３の内面及びつば４の下面側のいずれか一方であってもよい。また、熱可塑性樹脂５がボルトキャップ１の本体部３の内面に塗布される場合には、ボルトキャップ１の頭部２及び本体部３の内面の全面に塗布されてもよい。
【００１９】
図３は、本実施例のボルトキャップ１を既存のボルト６とナット７の部分に適用する施工を示す図であり、（ａ）はボルトキャップ１を適用する前の状態を示し、（ｂ）はボルトキャップ１をボルト６とナット７に被せた状態を示し、（ｃ）はボルトキャップ１に熱を加えてボルト６とナット７に密着させた状態を示している。ボルトキャップ１は、ボルト６及びナット７の寸法に応じて、それらを覆うことができかつ大き過ぎない適度な大きさのものが選択される。
【００２０】
本実施例のボルトキャップ１は、熱収縮性樹脂で形成されているので、熱を加えることによって図２（ｃ）に示すようにボルトキャップ１自体が収縮して、頭部２の少なくとも側面部及び本体部３がボルト６及びナット７に密着する。同時に熱可塑性樹脂５が熱によって溶融して、ボルト６及びナット７とボルトキャップ１との間を密封する。更に、つば４の熱可塑性樹脂５が熱によって溶融して、つば４と被締結物の間を接着して密封する。これらにより、ボルトキャップ１によって、ボルト６及びナット７を密封することができる。
【００２１】
本実施例のボルトキャップ１は、熱可塑性樹脂５によって内面とつば４下面がボルト６、ナット７及び被締結物に接着されるので、接着までの約１分間保持するだけで、ボルトキャップ１がボルト６、ナット７に固定される。
【００２２】
以上説明したように、本発明のボルトキャップ１によれば、既存及び新たな被締結物でのボルト６、ナット７に対してボルトキャップ１が確実に密封固定されるので、従来問題となっていた、水の浸入等によるボルト６、ナット７及びボルト６、ナット７による被締結物の接合部分の腐食を確実に防止することができる。また、ナット７及びボルト６を確実に絶縁することができる。加えて、熱可塑性樹脂を塗布しているので、現場での取付作業が容易になり、作業効率が上がる。
【符号の説明】
【００２３】
１  ボルトキャップ
２  頭部
３  本体部
４  つば
５  熱可塑性樹脂
６  ボルト
７  ナット
【図１】
2018123907.tif 000003
【図２】
2018123907.tif 000004
【図３】
2018123907.tif 000005